(57)【要約】【課題】生体情報等を取得する生体情報取得装置が、その取得した生体情報を複数のサーバ等の生体情報管理装置に提供でき、生体情報取得装置の生体情報を他の患者の情報と取り違えることを防ぐ生体情報管理システム等を提供すること。【解決手段】対象者の生体情報を記憶する生体情報取得装置１０と、生体情報を対象者情報と共に管理する生体情報管理装置５０と、を有し、生体情報取得装置は、生体情報を記憶する生体情報記憶部を有し、新たな生体情報を生体情報記憶部１６に記憶させ、既登録の生体情報を生体情報記憶部から削除し、生体情報取得装置は、生体情報管理装置からの要求で生体情報を提供し、提供した生体情報の対象者情報を生体情報管理装置から取得する生体情報管理システム１。【選択図】図１
2015046130.tif 000002
【特許請求の範囲】
【請求項１】
対象者から取得した生体情報を記憶する生体情報取得装置と、
前記生体情報を、その対象者情報と共に管理する生体情報管理装置と、を有する生体情報管理システムであって、
前記生体情報取得装置は、前記生体情報を記憶する生体情報記憶部を有すると共に、新たな前記生体情報を取得したときに、新たな前記生体情報を前記生体情報記憶部に記憶させると共に、既登録の前記生体情報を前記生体情報記憶部から削除する構成となっており、
前記生体情報取得装置は、前記生体情報管理装置からの求めに応じて、前記生体情報を提供すると共に、提供した前記生体情報の前記対象者情報を前記生体情報管理装置から取得する構成となっていることを特徴とする生体情報管理システム。
【請求項２】
前記生体情報取得装置は、複数の前記生体情報管理装置に、前記生体情報を提供する構成であって、
前記生体情報取得装置は、一の前記生体情報管理装置から前記対象者情報を取得した後に、他の前記生体情報管理装置から前記生体情報を求められたときは、取得した前記対象者情報と共に前記生体情報を提供する構成となっていることを特徴とする請求項１に記載の生体情報管理システム。
【請求項３】
対象者から取得した生体情報を記憶する生体情報取得装置と、
前記生体情報を、その対象者情報と共に管理する生体情報管理装置と、を有する生体情報管理システムを用いる生体情報管理方法であって、
前記生体情報取得装置は、前記生体情報を記憶する生体情報記憶部を有すると共に、新たな前記生体情報を取得したときに、新たな前記生体情報を前記生体情報記憶部に記憶させると共に、既登録の前記生体情報を前記生体情報記憶部から削除する構成となっており、
前記生体情報取得装置は、前記生体情報管理装置からの求めに応じて、前記生体情報を提供すると共に、提供した前記生体情報の前記対象者情報を前記生体情報管理装置から取得する構成となっていることを特徴とする生体情報管理方法。
【発明の詳細な説明】
【技術分野】
【０００１】
本発明は、例えば、患者から体温等の生体情報を取得し管理する生体情報管理システム及び生体情報管理方法に関するものである。
【背景技術】
【０００２】
従来から病院等で患者の生体情報、例えば、体重を計測するには体重計を用いているが、この体重計等にはディスプレイがあり、計測した体重がディスプレイに表示される構成となっている。
しかし、病院等では多数の患者が来院するため、体重計のディスプレイに表示された体重等を他人に見られるおそれがある。そこで、このようなディスプレイの体重表示を消去する提案がなされている（例えば、特許文献１）。【０００３】
また、このように病院等で使用する体重計や体温計等は、多くの患者が使用することが前提であるため体温計等自体に、各患者の体温情報等を長く記憶させると、他の患者の体温を間違って取り扱うおそれがある。
そこで、例えば、病院等に体温情報等を管理する電子カルテサーバ等を設置し、この電子カルテサーバ等に体温計から体温情報を送信すると体温計の体温情報を消去し，体温計に体温情報等が残らないようにする等の方法が採用されている。
【先行技術文献】
【特許文献】
【０００４】
【特許文献１】特開２０１３−８１７５４号公報
【発明の概要】
【発明が解決しようとする課題】
【０００５】
しかしながら、同一の病院等に複数の電子カルテサーバ等の生体情報管理装置が存在する場合も多く、そのような場合、一つの電子カルテサーバに体温情報等の生体情報を記憶した後、体温計等の生体情報取得装置から当該体温情報を削除する処理を行うと、他の生体情報管理装置が当該生体情報取得装置の体温情報等の生体情報を取得できないという問題があった。
一方、体温計等の生体情報取得装置に、いつまでも過去に検温した体温情報等を記憶した状態とすると、他の患者の体温情報等の生体情報と取り違えるおそれがあり問題であった。【０００６】
そこで、本発明は、体温情報等の生体情報等を取得する体温計等の生体情報取得装置が、その取得した生体情報を複数のサーバ等の生体情報管理装置に提供できると共に、生体情報取得装置に記憶されている生体情報を他の患者等の情報として取り違えることを防ぐことができる生体情報管理システム及び生体情報管理方法を提供することを目的とする。
【課題を解決するための手段】
【０００７】
上記目的は、本発明にあっては、対象者から取得した生体情報を記憶する生体情報取得装置と、前記生体情報を、その対象者情報と共に管理する生体情報管理装置と、を有する生体情報管理システムであって、前記生体情報取得装置は、前記生体情報を記憶する生体情報記憶部を有すると共に、新たな前記生体情報を取得したときに、新たな前記生体情報を前記生体情報記憶部に記憶させると共に、既登録の前記生体情報を前記生体情報記憶部から削除する構成となっており、前記生体情報取得装置は、前記生体情報管理装置からの求めに応じて、前記生体情報を提供すると共に、提供した前記生体情報の前記対象者情報を前記生体情報管理装置から取得する構成となっていることを特徴とする生体情報管理システムにより達成される。【０００８】
前記構成によれば、体温計等の生体情報取得装置は、体温情報等の生体情報を記憶する生体情報記憶部を有すると共に、新たな体温情報等を取得したときに、新たな体温情報を生体情報記憶部に記憶させると共に、既登録の体温情報等を生体情報記憶部から削除する構成となっている。
したがって、体温計等は、たとえ電子カルテサーバ等の生体情報管理装置に、その体温情報等を提供した後であっても、新たな体温情報等を取得するまでは、その提供した体温情報等を保持しているので、その後、他の電子カルテサーバ等から体温情報等の提供要求があっても提供することができる。
また、体温計等は、新たな体温情報等を取得した後は、古い既登録の体温情報は削除されるので、不必要に長く対象者の個人情報である体温情報等の生体情報を保持せず、また、保持する生体情報は、直近の生体情報に限定されるので、生体情報という個人情報の漏洩等を防ぐことができる。【０００９】
また、前記構成によれば、体温計等の生体情報取得装置は、電子カルテサーバ等の生体情報管理装置からの求めに応じて、体温情報等の生体情報を提供すると共に、提供した体温情報等の対象者情報（患者情報等）を電子カルテサーバ等から取得する構成となっている。
したがって、体温計等は自ら患者情報等の対象者情報を予め有していなくても、電子カルテサーバ等から信頼できる確実な患者情報等を取得でき、体温計等の製造コストを低下させることができる。
また、このとき体温計は、直近の体温情報等のみを保持しているので、電子カルテサーバ等から取得した患者情報等が、どの体温情報等と対応しているかについて混乱することがなく、患者情報等と体温情報等とを取り違えることがない。
このため、体温計等が、その後、他の電子カルテサーバ等から体温情報等の提供を求められたときは、体温情報等と共に患者情報等も同時に提供することができると共に、これらの情報の精度も保証することができる。【００１０】
好ましくは、前記生体情報取得装置は、複数の前記生体情報管理装置に、前記生体情報を提供する構成であって、前記生体情報取得装置は、一の前記生体情報管理装置から前記対象者情報を取得した後に、他の前記生体情報管理装置から前記生体情報を求められたときは、取得した前記対象者情報と共に前記生体情報を提供する構成となっていることを特徴とする生体情報管理システム。【００１１】
前記構成によれば、体温計等の生体情報取得装置は、一の電子カルテサーバ等の生体情報管理装置から患者情報等の対象者情報を取得した後に、他の電子カルテサーバ等から体温情報等を求められたときは、取得した患者情報等と共に体温情報等を提供する構成となっている。
したがって、異なった複数の電子カルテサーバ等について、それぞれ記憶されている患者情報等及び体温情報等が異なるという事態の発生を未然に防止することができる。【００１２】
上記目的は、本発明にあっては、対象者から取得した生体情報を記憶する生体情報取得装置と、前記生体情報を、その対象者情報と共に管理する生体情報管理装置と、を有する生体情報管理システムを用いる生体情報管理方法であって、前記生体情報取得装置は、前記生体情報を記憶する生体情報記憶部を有すると共に、新たな前記生体情報を取得したときに、新たな前記生体情報を前記生体情報記憶部に記憶させると共に、既登録の前記生体情報を前記生体情報記憶部から削除する構成となっており、前記生体情報取得装置は、前記生体情報管理装置からの求めに応じて、前記生体情報を提供すると共に、提供した前記生体情報の前記対象者情報を前記生体情報管理装置から取得する構成となっていることを特徴とする生体情報管理方法により達成される。
【発明の効果】
【００１３】
以上説明したように、本発明によれば、体温情報等の生体情報等を取得する体温計等の生体情報取得装置が、その取得した生体情報を複数のサーバ等の生体情報管理装置に提供できると共に、生体情報取得装置に記憶されている生体情報を他の患者等の情報として取り違えることを防ぐことができる生体情報管理システム及び生体情報管理方法を提供することができる。
【図面の簡単な説明】
【００１４】
【図１】本発明の実施の形態にかかる生体情報管理システムを示す概略図である。
【図２】図１の体温計の主な構成を示す概略ブロック図である。
【図３】図１の病棟用端末の主な構成を示す概略ブロック図である。
【図４】図１の病棟用電子カルテサーバの主な構成を示す概略ブロック図である。
【図５】図１に示す生体情報管理システムの主な動作等を示す概略フローチャートである。
【図６】図１に示す生体情報管理システムの主な動作等を示す他の概略フローチャートである。
【発明を実施するための形態】
【００１５】
以下、この発明の好適な実施の形態を、添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１６】
図１は、本発明の実施の形態にかかる生体情報管理システム１を示す概略図である。
図１に示すように、生体情報管理システム１は、生体情報取得装置である例えば、体温計１０を有している。
この体温計１０は、例えば、病院等で不特定多数の対象者である例えば、患者が使用するものである。
【００１７】
また、この体温計１０は、患者の生体情報である例えば、体温情報を取得すると、その後、通信により複数の生体情報管理装置である例えば、「病棟用電子カルテサーバ５０」及び「外来用電子カルテサーバ７０」に、体温情報を送信する構成となっている。
具体的には、病棟用電子カルテサーバ５０は、各病棟に配置されているコンピュータである「病棟用端末８０」と接続され、病棟用端末８０は、電磁誘導等を使用する近距離無線通信が可能な「病棟用端末リードライタ装置８１」を有している。
また、「外来用電子カルテサーバ７０」は、各外来に配置されているコンピュータである「外来用端末９０」と接続され、「外来用端末９０」は、電磁誘導等を使用する近距離無線通信が可能な「外来用端末リードライタ装置９１」を有している。
【００１８】
一方、体温計１０も後述するように「体温計側通信装置１１」を有し、この体温計側通信装置１１も、電磁誘導等を使用する近距離無線通信が可能となっているため、体温計１０を「病棟用端末リードライタ装置８１」又は「外来用端末リードライタ装置９１」に近づけることで、体温計１０と「病棟用端末リードライタ装置８１」又は「外来用端末リードライタ装置９１」との間の通信が可能となり、これにより、「病棟用端末８０」や「外来用端末９０」との通信も可能となる構成となっている。
また、上述のように、「病棟用端末８０」や「外来用端末９０」は、「病棟用電子カルテサーバ５０」、「外来用電子カルテサーバ７０」にそれぞれ通信可能に接続されているので、「病棟用端末８０」や「外来用端末９０」が体温計１０から取得した体温情報等は、「病棟用電子カルテサーバ５０」、「外来用電子カルテサーバ７０」に送信される構成となっている。
【００１９】
なお、図１の「病棟用電子カルテサーバ５０」及び「外来用電子カルテサーバ７０」は、それぞれ、独立しており，相互に通信してデータを共通することはなく、それぞれが別個に体温情報等を取得する構成となっている。
また、「病棟用電子カルテサーバ５０」及び「外来用電子カルテサーバ７０」は、取得した体温情報等（測定結果及び測定日時等）を、当該体温測定を行った患者の対象者情報である患者情報（例えば、患者氏名、患者ＩＤ、患者登録された日時等）と関連付けて記憶する構成となっている。なお、このとき、「病棟用電子カルテサーバ５０」等に登録した時刻データも関連付けて記憶する。
【００２０】
したがって、「病棟用電子カルテサーバ５０」及び「外来用電子カルテサーバ７０」には、各患者の患者情報、各患者の体温情報等及びその他の関連情報が、相互に関連付けられている。
【００２１】
図１に示す体温計１０、病棟用電子カルテサーバ５０、外来用電子カルテサーバ７０、病棟用端末８０及び外来用端末９０等は、コンピュータを有し、コンピュータは、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バスを介して接続されている。
【００２２】
図２は、図１の体温計１０の主な構成を示す概略ブロック図である。図２に示すように、体温計１０は、「体温計制御部１２」を有し、体温計制御部１２は、「体温計側通信装置１１」、「センサ（サーミスタ）１３ａ」を備える「体温計測装置１３」、計測した体温等を表示する「体温計ディスプレイ１４」、「体温計電源スイッチ１５」等を制御する他、図２に示す各種記憶部や処理部（プログラム）等を制御するが、これらの内容については後述する。
【００２３】
図３は、図１の病棟用端末８０の主な構成を示す概略ブロック図である。なお、図１の外来用端末９０は、ほぼ同様な構成であるため、その説明を省略する。
図３に示すように、病棟用端末８０は、「病棟用端末制御部８２」を有し、病棟用端末制御部８２は、図１の病棟用端末リードライタ装置８１と通信可能な「病棟用端末通信装置８３」、各種情報を表示する「病棟用端末ディスプレイ８４」、各種情報を入力する「病棟用端末入力装置８５」を制御する他、各種情報を記憶する「病棟用各種情報記憶部８６」や「患者情報取得判断部（プログラム）８７」や「患者情報処理部（プログラム）８８」も制御する。
なお、「患者情報取得判断部（プログラム）８７」及び「患者情報処理部（プログラム）８８」の内容は後述する。
【００２４】
図４は、図１の病棟用電子カルテサーバ５０の主な構成を示す概略ブロック図である。なお、図１の外来用電子カルテサーバ７０は、ほぼ同様な構成であるため、その説明を省略する。
図４に示すように、病棟用電子カルテサーバ５０は、「病棟用電子カルテサーバ制御部５１」を有し、病棟用電子カルテサーバ制御部５１は、図１の病棟用端末８０と通信するための「病棟用電子カルテサーバ通信装置５２」、各種情報を表示する「病棟用電子カルテサーバディスプレイ５３」、各種情報を入力する「病棟用電子カルテサーバ入力装置５４」を制御する他、上述の体温情報や患者情報等を関連付けて記憶している「病棟用電子カルテデータベース５５」も制御する。
【００２５】
図５及び図６は、図１に示す生体情報管理システム１の主な動作等を示す概略フローチャートである。
本実施の形態では、患者が病院に入院し、病棟で体温計１０を用いて検温した後、その体温情報を病棟用電子カルテサーバ５０に記憶し、その後、同じ体温情報を、外来用電子カルテサーバ７０に記憶する例を用いて、説明する。
【００２６】
先ず、患者は、病棟の自己のベッドで、体温計１０を用いて体温を測定する。
そして、図５のステップＳＴ（以下「ＳＴ」と称す。）１へ進む。ＳＴ１では、体温計１０の体温計測装置１３が予測平衡温度（実測温度情報）を算出したか否かを判断する。
そして、算出したと判断したときは、体温計１０は、測定した「予測平衡温度（実測温度情報）」を「測定体温情報」として、図２の生体情報記憶部である例えば、「測定体温記憶部１６」に記憶する。
【００２７】
次いで、ＳＴ３へ進む。ＳＴ３では、図２の「既登録測定体温情報処理部（プログラム）１７」が動作し、「測定体温記憶部１６」に既登録の「測定体温情報」が記憶されているか否かを判断する。
ＳＴ３で、既登録の「測定体温情報」が記憶されているときは、当該「測定体温情報」を削除する（ＳＴ４）。
これにより、新たな測定体温情報を取得した後は、古い既登録の測定体温情報が体温計１０の「測定体温記憶部１６」から削除されるので、不必要に長く患者の個人情報である測定体温情報を体温計１０が保持することがない。
また、体温計１０が保持する測定体温情報は、直近の測定体温情報に限定されるので、測定体温情報という個人情報の漏洩等を防ぐことができる。
【００２８】
以上で、患者の体温計１０による体温の測定工程が終了する。次いで、病棟のベッドでは看護師等の医療従事者が図１に示す「病棟用端末８０」を「病棟用端末リードライタ装置８１」と共に、患者のベッドサイドに持参する。
看護師は、検温が終了した患者の体温計１０を、病棟用端末リードライタ装置８１に近づける。
そして、ＳＴ５へ進む。ＳＴ５では、体温計１０は、病棟用端末８０から「測定体温情報送信要求」の信号を受信したか否かを判断する。
【００２９】
ＳＴ５で、病棟用端末８０から「測定体温情報送信要求」の信号を受信したと判断したときは、ＳＴ６へ進む。ＳＴ６では、図２の「送信内容決定部（プログラム）１８」が実行され、体温計１０の図２の「患者情報記憶部１９」を参照する。
この「患者情報記憶部１９」には、「病棟用電子カルテサーバ５０」等から取得した、当該患者に関する「患者情報（患者氏名、患者ＩＤ、患者登録年月日等）」が記憶されている。
本工程では、この「患者情報記憶部１９」を参照し、既に患者情報が記憶されているか否かを判断する。
【００３０】
ＳＴ６で、患者情報が記憶されていないときは、図６のＳＴ７へ進む。ＳＴ７では、体温計１０は、「測定体温記憶部１６」に記憶されている「測定体温情報」のみを「病棟用端末８０」側へ送信する。
【００３１】
次いで、ＳＴ８へ進む。ＳＴ８では、図３の「患者情報取得判断部（プログラム）８７」が実行され、体温計１０から「患者情報」を受信したか否かを判断する。
ＳＴ８で、「患者情報」を受信しないと判断したときは、ＳＴ９へ進む。
【００３２】
ＳＴ９では、看護師が操作している「病棟用端末８０」の「病棟用端末ディスプレイ８４」に「患者情報未登録」を表示し、「病棟用端末入力装置８５」からの「患者情報」の入力を促す表示をする。例えば、患者情報の一部の情報である「患者ＩＤ」等の情報の入力を促す。
【００３３】
次いで、ＳＴ１０へ進む。ＳＴ１０では、図３の「患者情報処理部（プログラム）８８」が動作し、病棟用端末入力装置８５から患者情報（全部又は一部）の入力があったか否かを判断する。
ＳＴ１０で、「患者情報（全部又は一部）」の入力があったと判断したときは、ＳＴ１１へ進む。
ＳＴ１１では、病棟用端末８０が、この入力された「患者情報（全部又は一部）」に基づいて、図４の「病棟用電子カルテサーバ５０」の「病棟用電子カルテデータベース５５」を参照し、入力された「患者情報」に対応する「患者情報」を取得して、体温計１０に送信する。
【００３４】
次いで、ＳＴ１２へ進む。ＳＴ１２では、体温計１０は、受信した「患者情報」を図２の「患者情報記憶部１９」に記憶する。
したがって、体温計１０は、自ら患者情報を予め有していなくても、病棟用電子カルテサーバ５０から信頼できる確実な患者情報を取得できる。
また、体温計１０には患者情報の認証等が不要なので、体温計等の製造コストを低下させることができる。
【００３５】
さらに、体温計１０は、直近の測定体温情報のみを保持しているので、病棟用電子カルテサーバ５０から取得した患者情報が、どの体温情報等と対応しているかについて混乱することがなく、患者情報と体温情報とを取り違えることがない。
【００３６】
以上で、病棟における患者の体温計１０と病棟等端末８０等との処理が終了する。
その後、患者は外来での診察を受けるため、体温計１０を所持して、外来診察を受ける。
このとき、医師等は、図１の「外来用端末リードライタ装置９１」に体温計１０を近づける。
すなわち、図５のＳＴ５の工程が開始される。そして、ＳＴ６で、体温計１０が「患者情報」を記憶しているか否かが判断される。
この場合は、上述のＳＴ１２で、既に図２の「患者情報記憶部１９」に「患者情報」が記憶されているので、「ＹＥＳ」となり、図６のＳＴ１３へ進む。
【００３７】
ＳＴ１３では、体温計１０は、患者情報記憶部１９の患者情報と、測定体温記憶部１６に記憶されている「測定体温情報」を併せて、「外来用端末リードライタ装置９１」へ送信し、これらのデータは、外来用端末９０を介して、外来用電子カルテサーバ７０へ送信される。
なお、「病棟用電子カルテサーバ５０」が「一の生体情報管理装置」の一例であり、「外来用電子カルテサーバ７０」が「他の生体情報管理装置」の一例である。
【００３８】
したがって、本実施の形態では、体温計１０が体温を計測した後、病棟用電子カルテサーバ５０へ測定体温情報を送信した後でも、体温計１０は、同じ測定体温情報を保持しているので、その後、異なるサーバである外来用電子カルテサーバ７０に、同じ測定体温情報を送信することができる。
【００３９】
また、このとき、体温計１０は、測定体温情報と共に、その患者情報も有しており、この患者情報は、病棟用電子カルテサーバ５０から得た精度の高い情報となっている。
そして、かかる患者情報と、測定体温情報が共に、外来用電子カルテサーバ７０へ送信されるので、外来用電子カルテサーバ７０と病棟用電子カルテサーバ５０のデータの統一を図ることができ、それぞれ記憶されている患者情報及び体温情報が異なるという事態の発生を未然に防止することができる。
【００４０】
ところで、本発明は、上述の実施の形態に限定されない。本実施の形態では、生体情報として、特に体温情報を例に説明したが、他に血圧情報、血糖値情報、体組成情報、脈拍情報等の生体情報も同様に扱うことができる。
【符号の説明】
【００４１】
１・・・生体情報管理システム、１０・・・体温計、１１・・・体温計側通信装置、１２・・・体温計制御部、１３・・・体温計測装置、１３ａ・・・センサ（サーミスタ）、１４・・・体温計ディスプレイ、１５・・・体温計電源スイッチ、１６・・・測定体温記憶部、１７・・・既登録測定体温情報処理部（プログラム）、１８・・・送信内容決定部（プログラム）、１９・・・患者情報記憶部、５０・・・病棟用電子カルテサーバ、５１・・・病棟用電子カルテサーバ制御部、５２・・・病棟用電子カルテサーバ通信装置、５３・・・病棟用電子カルテサーバディスプレイ、５４・・・病棟用電子カルテサーバ入力装置、５５・・・病棟用電子カルテデータベース、７０・・・外来用電子カルテサーバ、８０・・・病棟用端末、８１・・・病棟用端末リードライタ装置、８２・・・病棟用端末制御部、８３・・・病棟用端末通信装置、８４・・・病棟用端末ディスプレイ、８５・・・病棟用端末入力装置、８６・・・病棟用各種情報記憶部、８７・・・患者情報取得判断部（プログラム）、８８・・・患者情報処理部（プログラム）、９０・・・外来用端末、９１・・・外来用端末リードライタ装置
【図１】
2015046130.tif 000003
【図２】
2015046130.tif 000004
【図３】
2015046130.tif 000005
【図４】
2015046130.tif 000006
【図５】
2015046130.tif 000007
【図６】
2015046130.tif 000008
【国際調査報告】
2015046130.tif 000009
2015046130.tif 000010